(57)【要約】    【課題】  走行中の遠心力によって引締め状態が不意に解除されることのないようにしたタイヤ滑止め装置用の引締め具を提供する。    【解決手段】  引締め具(30)を回転部材(32)とアーム(36)とで構成する。回転部材の一端側に位置する基部を２つのうちの一方の引締め端部に回転自在に取付け、アームの一端を回転部材の基部と反対側の位置する先端部に回転可能に取付け、アームの他端部を２つのうちの他方の引締め端部に取付ける。回転部材には操作治具の突起が嵌め込まれる少なくとも２つの嵌込み穴(42,44)を相互に間隔をあけて形成し、操作治具によって基部を回転中心として基部から見てタイヤ半径方向の外側において回転部材を回転させ、その回転に伴って他方の引締め端部を一方の引締め端部に向けて引き寄せる。【選択図】  図３
2005081894.tif 000002
【特許請求の範囲】
【請求項１】
タイヤ滑止め装置の相互に離間した２つの引締め端部の間に設けられ、回転操作によって上記２つの引締め端部の間の間隔を狭めるようにしたタイヤ滑止め装置用の引締め具において、
一端側に位置する基部が上記２つのうちの一方の引締め端部に回転自在に取付けられ、操作治具の突起が嵌め込まれる少なくとも２つの嵌込み穴が相互に間隔をあけて形成され、上記操作治具によって上記基部を回転中心として上記基部から見てタイヤ半径方向の外側において回転される回転部材と、
一端が上記回転部材の基部と反対側の位置する先端部に回転可能に取付けられ、他端部が上記２つのうちの他方の引締め端部に取付けられ、上記回転部材の回転に伴って上記他方の引締め端部を上記一方の引締め端部に向けて引き寄せるアームと、
を備えたことを特徴とするタイヤ滑止め装置用の引締め具。
【請求項２】
一端部が上記２つのうちの一方の引締め端部に回転不可能に固定され、他端部には上記回転部材の基部が回転自在に取付けられるベース部材を更に備え、上記回転部材の基部が上記ベース部材を介して上記２つのうちの一方の引締め端部に回転自在に取付けられている請求項１記載のタイヤ滑止め装置用の引締め具。
【請求項３】
上記少なくとも２つの嵌込み穴のうち、１つの嵌込み穴が上記回転部材の基部の回転中心の位置に形成されている請求項１又は２記載のタイヤ滑止め装置用の引締め具。
【発明の詳細な説明】
【技術分野】
【０００１】
この発明はタイヤ滑止め装置用の引締め具に関し、特に走行中の遠心力によって引締め状態が不意に解除されることのないようにした引締め具に関する。
【背景技術】
【０００２】
雪路や凍結路の走行時にはタイヤに滑止め装置を装着し、スリップ事故を防止して走行の安全性を確保することが行われている。
【０００３】
この滑止め装置では、繰り返しネットパターンを有する複数枚の合成樹脂製又はゴム製のネット体を長手方向に配列しかつその隣接する幅方向両側部をリンクによって順次連結したネット形式、あるいは一対のサイド部材の間に複数の滑り止め帯を所定の間隔をあけて梯子状に取付けたラダー形式が採用されることが多い。
【０００４】
ところで、滑止め装置をタイヤに装着する場合、滑止め機能を有する本体部分をタイヤトレッドに被せ、本体部分のタイヤ内輪側及びタイヤ外輪側の両端をジョイントで相互に連結して無端状となし、本体部分のタイヤ外輪側をセットバンド等によって緊締して本体部分をタイヤトレッドに密着させることが行われていたが、女性や老人等、筋力の弱い人にはセットバンドの取付け作業が煩雑であった。
【０００５】
そこで、回転部材の両端部に２つのアームの一端をそれぞれ回転自在に取付け、両アームの他端を滑止め装置の本体部分のタイヤ外輪側において間隔を狭めるべき２つの部位（以下、引締め端部ともいう）にそれぞれ取付け、回転部材の中央を回転中心として回転部材を回転させることによって両アームの他端を相互に引き寄せ、タイヤ外輪側の２つの引締め端部の間の間隔を狭めるようにした引締め具が提案されている（特許文献１、特許文献２、特許文献３、特許文献４、等参照）。
【特許文献１】実公昭４８−３９２８２号公報
【特許文献２】特開平２−４８２０４号公報
【特許文献３】特開平３−１６８１３号公報
【特許文献４】特開平９−１０９６２７号公報
【発明の開示】
【発明が解決しようとする課題】
【０００６】
しかし、上記特許文献１〜４記載の引締め具では回転部材の中央を回転中心として回転部材を回転させることによって両アームの他端を相互に引き寄せるようにしているので、自動車の走行中に滑止め装置に遠心力が作用すると、両アームのうちのいずれか一方には相対的に回転部材を逆転させるような動きが起こり、引締め状態が不意に解除されるおそれがあった。
【０００７】
このように引締め状態が不意に解除されるのを防止するためには、回転部材に上記一方のアームを係止する突起部を形成する必要があるが、その場合には回転部材の回転操作中に上記一方のアームに突起部を乗り越えさせなければならず、操作に大きな力が必要になる。
【０００８】
本発明は、かかる問題点に鑑み、走行中の遠心力によって引締め状態が不意に解除されることのないようにしたタイヤ滑止め装置用の引締め具を提供することを課題とする。
【課題を解決するための手段】
【０００９】
そこで、本発明に係るタイヤ滑止め装置用の引締め具は、タイヤ滑止め装置の相互に離間した２つの引締め端部の間に設けられ、回転操作によって上記２つの引締め端部の間の間隔を狭めるようにしたタイヤ滑止め装置用の引締め具において、一端側に位置する基部が上記２つのうちの一方の引締め端部に回転自在に取付けられ、操作治具の突起が嵌め込まれる少なくとも２つの嵌込み穴が相互に間隔をあけて形成され、上記操作治具によって上記基部を回転中心として上記基部から見てタイヤ半径方向の外側において回転される回転部材と、一端が上記回転部材の基部と反対側の位置する先端部に回転可能に取付けられ、他端部が上記２つのうちの他方の引締め端部に取付けられ、上記回転部材の回転に伴って上記他方の引締め端部を上記一方の引締め端部に向けて引き寄せるアームと、を備えたことを特徴とする。
【００１０】
本発明の特徴の１つは回転部材の基部をタイヤ滑止め装置の一方の引締め端部に回転自在に取付け、回転部材の先端部にアームの一端を、アームの他端を他方の引締め端部に取付け、回転部材の中央ではなく基部を回転中心として回転部材を回転させることによって他方の引締め端部を一方に引締め端部に引き寄せるようにした点にある。これにより、タイヤ滑止め装置の２つの引締め端部を相互に確実に引き寄せることができる。
【００１１】
しかも、回転部材の基部から見てタイヤ半径方向の外側において回転部材を回転させるようにしたので、引締め状態において他方の引締め端部に遠心力が作用すると図３の(a)に示されるように、一方の引締め端部が回転部材の基部に対するつっぱりの役割を果たすので、回転部材及びアームは回転中心の廻りに矢印Ａ方向に回転することとなり、これは引締め端部の引締め状態を解除する方向とは逆方向の回転であり、引締め状態が不意に解除されることはない。
【００１２】
他方、引締め状態において一方の引締め端部に遠心力が作用すると図３の(b)に示されるように、回転部材の回転中心が半径方向の外方に引っ張られるので、回転部材及びアームは相対的に回転中心の廻りに矢印Ａ方向に回転することとなり、この場合も引締め状態が不意に解除されることはない。
【００１３】
回転部材はその基部を一方の引締め端部に直接取付けてもよいが、引締め端部の周囲に回転部材が回転するスペースを必要とする。そこで、回転部材の基部と一方の引締め端部との間にベース部材を介在させ、回転部材が回転するスペースを設けるのがよい。
【００１４】
即ち、一端部が２つのうちの一方の引締め端部に回転不可能に固定され、他端部には回転部材の基部が回転自在に取付けられるベース部材を更に備え、回転部材の基部がベース部材を介して２つのうちの一方の引締め端部に回転自在に取付けられるのがよい。
【００１５】
回転部材の嵌込み穴は例えば回転部材の基部と先端部とを結ぶ方向に、あるいはこの方向に直角な方向に少なくとも２つ設けられていればよいが、回転部材の基部が回転中心となることから、操作治具の操作性を考えると、１つの嵌込み穴は回転部材の基部の回転中心の位置に形成されるのがよい。
【００１６】
また、本発明は基本的には回転部材と一本のアームとで引締め具を構成し、引締め状態において滑止め装置の本体部分に遠心力が作用してもアーム及び回転部材には２つの引締め端部をさらに引締める方向に回転させる力が加わるようにしているので、回転部材には突起部を設けてアームを回転部材に係止する必要はない。但し、安全性を確保する端点から突起部を設けることは許される。
【００１７】
本発明の引締め具はタイヤ滑止め装置の相互に離間した２つの引締め端部の間に設けられ、回転操作によって２つの引締め端部の間の間隔を狭めるように用いられればよい。例えば、複数のトレッドで構成した滑止め装置において、引締め具を１つのトレッド内に形成した２つの引締め端部の間に設けてもよく、又隣接するトレッドの間に設けてもよい。      
【００１８】
また、本発明の引締め具はラダー形式の滑り止め装置のサイド部材の両端部の間、あるいはサイド部材の中間に引締め端部を設けてその間に設けることもできる。
【００１９】
回転部材はどのような形状であってもよく，例えば下記の実施形態に示される長円形状に製作することができる。また、回転部材の材料は特に限定されてず、例えば金属材料、硬質の合成樹脂材料で製作されることができる。
【００２０】
アームの材料は特に限定されず、例えば金属材料、硬質の合成樹脂材料で製作されることができる。
【発明を実施するための最良の形態】
【００２１】
以下、本発明を図面に示す具体例に基づいて詳細に説明する。図１ないし図５は本発明に係るタイヤ滑止め装置用の引締め具の好ましい実施形態を示す。図において、タイヤ滑止め装置１０は六枚のトレッド１２から構成され、各トレッド１２は合成樹脂材料、例えばウレタン樹脂で製作されている。
【００２２】
このトレッド１２は長手方向の両端において幅方向に帯状に延びる帯状部分１４、両帯状部分１４の間に延びるＸ状の部分１６及びＸ状の部分１６と帯状部分１４との間に延びる短帯状部分１８から構成され、表面にはスパイク２０が取付けられている。
【００２３】
また、トレッド１２ではタイヤ外輪側及びタイヤ内輪側において両帯状部分１４から他方の帯状部分１４に向けて短尺のアーム部２２が延び、両アーム部２２の間は短尺のリンク２４によって相互に連結されている。
【００２４】
さらに、トレッド１２は三枚ずつを一組とし、三枚のトレッド１２の隣接する端部の間はタイヤ外輪側及びタイヤ内輪側においてリンク２４によって相互に連結されてトレッド対２６が構成されている。
【００２５】
二組のトレッド対２６の隣接する端部の間はタイヤ内輪側において長尺のリンク２８によって相互に連結され、又滑止め装置１０の両端に位置する端部ではタイヤ内輪側において一方にプッシュロック５０が、他方にロックプレート５２が取付けられ、プッシュロック５０とロックプレート５２とは相互に係脱可能になっている。
【００２６】
他方、二組のトレッド対２６の隣接する端部の間、及び滑止め装置１０の両端に位置する端部の間にはタイヤ外輪側において本例の引締め具３０が設けられている。この引締め具３０は合成樹脂製の回転部材３２、金属製のベース部材３４及び金属製のアーム３６で構成されている。
【００２７】
ベース部材３４は一方のトレッド対２６の外側トレッド１２のアーム部２２と同一直線上に並べられ、ベース部材３４の一端部は一方のトレッド対２６の外側トレッド１２の端部（引締め端部）にリベット４０によって回転不可能に固定されている。
【００２８】
このベース部材３４の他端部には回転部材３２の一端側に位置する基部が筒状リベット４２によって回転自在に取付けられ、又ベース部材３４の側縁には回転部材３２を当たり止めするストッパー部３４Ａが起立して形成されている。
【００２９】
この回転部材３２の筒状リベット４２の内部は１つの嵌込み穴となっており、又回転部材３２のほぼ中央には嵌込み穴４４が形成され、又回転部材３２の表面には補強用のプレートが固定されている。
【００３０】
回転部材３２はほぼ長円形状をなし、その他端側にはアーム３６の一端部が回転可能に取付けられ、アーム３６の他端部はフック状に折り曲げられ、他方のトレッド対２６の外側トレッド１２の端部（引締め端部）に形成された引っ掛け穴３８に引っ掛けられるようになっている。
【００３１】
滑止め装置１０をタイヤに装着する場合、引締め具３０のアーム３６を外側のトレッド１２の引っ掛け穴３６から外し、二組のトレッド対２６の間でタイヤの接地部分を挟み込み、二組のトレッド対２６の最外側の部分を持って滑止め装置１０をタイヤに被せた後、タイヤ内輪側に手をまわし、プッシュロック５０とロックプレート５２を相互に係合させ、滑止め装置１０のタイヤ内輪側を無端状にする。
【００３２】
次に、２つの引締め具３０のアーム３６の他端部を他方のトレッド対２６の外側のトレッド１２の引っ掛け穴３８に引っ掛けると、滑止め装置１０をタイヤに仮装着できる。この状態では滑止め装置１０はタイヤに密着していない。
【００３３】
そこで、２つの突起を形成した操作治具（図示せず）を手に持ち、操作治具の突起を回転部材３２の２つの嵌込み穴４２、４４に嵌め込み、操作治具を時計廻り方向（図２の矢印Ｂ参照）に回転させると、ベース部材３４から見て滑止め装置１０に作用する遠心力の方向、つまり半径方向の外側の領域おいて回転部材３２が基部を回転中心としてほぼ９０度だけ回転しながら、アーム３６の回転部材３２への取付け部位を引っ張り、一方のトレッド対２６の外側トレッド１２の端部が他方のトレッド対２６の外側トレッド１２の端部に向けて引き寄せられる。
【００３４】
図２の(b)に示されるように、ベース部材３４上に回転部材３２及びアーム３６が重なると、両トレッド対２６の外側トレッド１２の端部の間が所定の距離に引き締められる。      
【００３５】
他方の引締め具３０についても同様に操作すれば、二組のトレッド対２６の外側トレッド１２の間の間隔を狭めて引き締めることができる。
【００３６】
本例の滑止め装置の引締め具３０では回転部材３２及びアーム３６が回転部材３２の基部から見て引締め操作時に滑止め装置１０に加わる遠心力の方向の領域を通過するように配列されているので、引締め状態において滑止め装置１０に遠心力が作用してもアーム３６及び回転部材３２には２つの端部をさらに引締める方向に回転させる力が加わり、引締め状態が外れるおそれはない。
【００３７】
滑止め装置１０を外す場合には上記とは逆の操作をすればよい。
【図面の簡単な説明】
【００３８】
【図１】本発明に係る引締め具を備えたタイヤ滑止め装置の好ましい実施形態を示す概略平面図である。
【図２】上記実施形態における引締め具を示す図である。
【図３】課題を解決するための手段を説明するための図である。
【符号の説明】
【００３９】
１０      滑止め装置              １２      トレッド
２６      トレッド対              ３０      引締め具
３２      回転部材                ３４      ベース部材
３６      アーム                  ４２      筒状リベット（嵌込み穴）
４４      嵌込み穴
【図１】
2005081894.tif 000003
【図２】
2005081894.tif 000004
【図３】
2005081894.tif 000005